(57)【要約】【課題】搬送ローラの圧が一定とならない。【解決手段】ガイドパス２１は固定の上ガイド２１１と回動可能な下ガイド２１２を有し、下ガイド２１２の回動中心および下ガイド２１２に設けた案内コロ２１４と画像形成装置に設けた案内スロープ１０１の接点が搬送ローラ２１３の回転軸中心のよりも下方にあるようにすることによって、搬送ローラ２１３と搬送コロ２１４との圧接力が一定となる。【選択図】        図１
2005067743.tif 000002
【特許請求の範囲】
【請求項１】
画像形成装置に対して水平方向に移動して着脱可能なシート給送装置であって、
シート給送手段から給送されたシートが画像形成装置へ搬送されるためのガイドパスを設け、該ガイドパスは板状の上ガイドと下ガイドで構成され、上ガイドが固定され、下ガイドが開閉可能とし、前記上ガイドには搬送ローラを備え、前記下ガイドには前記搬送ローラに搬送圧を与えるための搬送コロを備え、画像形成装置本体に着脱される時に上下ガイドを開閉させるために、画像形成装置側に設けた案内スロープにガイドされる案内コロが下ガイドに備えられ、前記ガイドパスは前記下ガイドの回動中心および前記案内コロと前記案内スロープの接点が前記搬送ローラの回転軸中心のよりも下方にあるように相対位置関係設定されていることを特徴とするシート給送装置。
【請求項２】
前記ガイドパスにおいて、前記案内スロープ斜面は、前記案内コロと前記案内スロープの接点におけるスロープ斜面の法線が、前記搬送ローラの回転軸中心の上方を通るように設定されていることを特徴とする請求項１に記載のシート給送装置。
【請求項３】
前記案内コロと前記案内スロープの接点におけるスロープ斜面の法線が、前記搬送ローラの回転軸中心の上方を通るように設定された第１の案内スロープ斜面と、前記案内コロと前記案内スロープの接点におけるスロープ斜面の法線が、前記搬送ローラの回転軸中心と前記下ガイドの回動中心の間を通るように設定された第２の案内スロープ斜面の両方を備え、第２案内スロープほうが下方にあることを特徴とする請求項２又は請求項３に記載のシート給送装置。
【請求項４】
前記請求項１乃至請求項３のいずれか１項に記載のシート給送装置と、前記シート給送装置から送り出されるシートに画像を形成する画像形成部とを有することを特徴とする画像形成装置。
【発明の詳細な説明】
【０００１】
【発明の属する技術分野】
本発明は、複写機やプリンターなどの画像形成装置や画像読取装置を有するシート給送装置に関するものである。
【０００２】
【従来の技術】
複写機に代表される画像形成装置に用シートを供給するシート給送装置としてサイドペーパーデッキがある。
【０００３】
この装置は画像形成装置本体に対して側面に設置さされる。また、本体に対して、レールなどを介して水平方向にスライドして本体と接離させる構成にされている。このサイドペーパーデッキは本体に給送した用シートを本体シート搬送パスに受け渡すための搬送パスが備わっている。この受け渡しのための用シート搬送パスは本体から離されたときに、このパスでシート詰まりしたシートを取り除くために、上部と下部のパスが開閉できる構成になっている（例えば、特許文献１参照）。
【０００４】
開閉は、ひとつの回動中心で上下方向に開く。搬送パスの上部と下部にはそれぞれ搬送ローラ  とこれと対になる搬送コロが備えられており、シート搬送時には適正な圧で押し付けられ  ている。この圧はサイドペーパーデッキが複写機本体に接して設置されることによって、受け渡し搬送パスの上部と下部が閉じることで、それぞれに取り付けられている搬送ローラと搬送コロが圧のかかる位置に固定される。受け渡し搬送パスは上部が  固定され下部が回動する。
【０００５】
また、下部の回動するガイド部材の先端には案内コロがあり、サイドペーパーデッキが本体側に水平移動して設置される際に、この案内コロが、本体側にある案内スロープにガイドされることによって、上部の固定されたガイドに下部の回動ガイドが押し上げられることによって、搬送ローラと搬送コロの間に適正の圧をかけられる。この案内スロープと案内コロで搬送ローラに圧をかける構成は、ガイドの回動中心と  搬送ローラと搬送コロ、案内コロそれぞれの位置と案内スロープの角度で決定される。
【０００６】
【特許文献１】
特開平３−１８２４４０号公報
【０００７】
【発明が解決しようとする課題】
従来のサイドペーパデッキでは、受け渡しパスが直線的で、上下方向に上から案内コロ、搬送ローラおよび搬送コロ、  ガイドの回動中心と並んでいる場合は、案内スロープの角度は垂直に近くてもよく、スロープの水平方向の距離はそれほど大きくとらなくてもよい。
【０００８】
しかし、本体のサイズの小型化などによりパスの形状が複雑になり、受け渡しパスの形状が直線的ではなく屈曲したパス形状にならざるを得なくなる。屈曲パスの形によっては、案内コロが  搬送ローラおよび搬送コロや回動中心よりも上下方向において下に位置する場合がある。このような位置関係にある場合、案内スロープの角度が垂直に近いと案内コロが  スムースに案内できず、搬送ローラと搬送コロの間に安定した圧がかけられなくなることがある。圧をかけるために、角度を水平に近づけると、案内コロを十分に案内できる案内スロープの高さが十分に得られないか、スロープの水平方向の距離を多くとるために大きな空間を必要とする。
【０００９】
本発明は、装置が大型化することなく搬送ローラと搬送コロの間に安定した圧が得られるシート給送装置を提供することを目的とする。
【００１０】
【課題を解決するための手段】
本発明は、画像形成装置に対して水平方向に移動して着脱可能なシート給送装置であって、シート給送手段から給送されたシートが画像形成装置へ搬送されるためのガイドパスを設け、該ガイドパスは板状の上ガイドと下ガイドで構成され、上ガイドが固定され、下ガイドが開閉可能とし、前記上ガイドには搬送ローラを備え、前記下ガイドには前記搬送ローラに搬送圧を与えるための搬送コロを備え、画像形成装置本体に着脱される時に上下ガイドを開閉させるために、画像形成装置側に設けた案内スロープにガイドされる案内コロが下ガイドに備えられ、前記ガイドパスは前記下ガイドの回動中心および前記案内コロと前記案内スロープの接点が前記搬送ローラの回転軸中心のよりも鉛直下方にあるように相対位置関係設定されていることを特徴とする。
【００１１】
【発明の実施の形態】
以下に、本発明に係るシート給送装置の実施形態について図面を用いて説明する。図３は、本発明に係るシート給送装置が装着される画像形成装置（複写機）の正面図である。シート給送装置２から送り出されたシートは画像形成装置１の画像形成部（図示せず）に供給されて画像が形成される。開閉ガイドパス２１はサイドペーパーデッキ２から給送された用シートを画像形成装置１の用シート搬送パスに搬送するためのものである。サイドペーパーデッキ２は画像形成装置本体１に対して、図３（ａ）の装着状態と図３（ｂ）のジャム処理のための離脱状態の２つの状態が取れるように水平方向に移動できる構成になっている。開閉ガイドパス２１内でシート詰まりをした際には、画像形成装置本体から水平移動して離し、開閉ガイドパス２１が開くことによってジャムしたシートを取り除くことができる。
【００１２】
（第１の実施の形態）
図１、２に開閉ガイドパスの詳細について示す。開閉ガイドパスは固定された上ガイド２１１と回動中心２１ａを持つ回動する下ガイド２１２から成り、固定された上ガイド２１１にシートを搬送するための搬送ローラ２１３があり、回動する下ガイド２１２には、その搬送ローラ２１３に搬送圧を与えるための搬送コロ２１４が搬送ローラに圧をかけられる位置に設けられ、圧をかけるためにバネなどの図示しない弾性部材を備えている。さらに下ガイド２１２の先端には案内コロ２１５が設けられている。
【００１３】
サイドペーパーデッキ２が画像形成装置本体１から離れている状態から設置状態になる際に、画像形成装置本体１に設けられた案内スロープ１０１によって案内コロ２１５が転動して下ガイド２１２が回動し、固定された上ガイド２１１に対して任意の距離を保って閉じられ、かつ搬送ローラ２１３と搬送コロ２１４に任意の搬送圧を生じさせる。
【００１４】
本実施の形態の開閉ガイドは、回動中心２１ａ、搬送ローラ２１３および搬送コロ２１４、案内コロ２１５が図１のように配置され、上下方向のそれぞれの位置関係において、搬送ローラ２１３の軸中心よりも案内コロ２１５が下方にあることを特徴とする。
【００１５】
この開閉ガイドパス２１は、設置前は搬送ローラ２１３に搬送圧がかからない状態で開いていて、案内コロ２１５が案内スロープ１０１を登ることで搬送ローラ２１３に搬送圧がかかる。搬送圧をかけるには案内コロ２１５と案内スロープ１０１の接点１０ａにおける法線１０ｂが、搬送圧がかけられる搬送ローラ２１３の軸中心に対して、回動する下ガイド２１２の回動中心２１ａのある側の反対側を通らなければならない。案内スロープ１０１の高さの範囲は、案内コロ２１５が回動する下ガイド２１２が固定された上ガイド２１１に対して、ガイドパス隙間を保った状態に閉まるまで、案内コロ２１５が案内スロープ１０１に沿って案内される範囲をカバーしなければならない。
【００１６】
案内コロ２１５と案内スロープ１０１の接点１０ａにおける法線１０ｂの条件を満たすためには、案内コロ２１５を案内する案内スロープ１０１の案内コロ２１５に対する進入角１０ｃを小さくすればよい。しかし、この進入角１０ｃが小さい場合、高さ方向の範囲をカバーするためには、案内スロープの水平方向の案内長さ１０ｄを大きくとる必要がある。
【００１７】
（第２の実施の形態）
図４乃至図６に示すように、案内コロ２１５と案内スロープ１０１との接点１０ａにおける法線１０ｂが回動する下ガイド２１３の回動中心２１ａと搬送ローラ２１３の軸中心の間を通る場合、回動する下ガイド２１２は搬送ローラ２１３と搬送コロ２１４が接するまで、案内コロ２１５が案内スロープ１０１に案内されて回動中心２１ａを支点に回動して閉まっていく。
【００１８】
（第３の実施の形態）
図７乃至図９に示すように、案内コロ２１５と案内スロープ１０１との接点における法線１０ａが、搬送ローラ２１３の軸中心に対して、回動する下ガイド２１２の回動中心２１ａのある側の反対側を通るスロープ進入角１０ｃを持つ案内スロープをスロープＡ（第１の案内スロープ斜面）とし、法線１０ｂが回動する下ガイド２１２の回動中心２１ａと搬送ローラ２１３軸中心の間を通るスロープ進入角１０ｃを持つ案内スロープをスロープＢ（第２の案内スロープ斜面）とする。
【００１９】
スロープＢにおける開閉ガイドパス２１の動作を説明する。
【００２０】
搬送ローラ２１３と搬送コロ２１４とが接したのち、搬送ローラ２１３と搬送コロ２１４との接点と回動する下ガイド２１２の回動中心２１ａの両方が支点となり、案内コロ２１５に力が作用する。この搬送ローラ２１３と搬送コロ２１４の接点が支点になることにより、案内コロ２１５が案内スロープ１０１を登るために抵抗となる力が発生する。この抵抗力は、与える搬送ローラ２１３の搬送圧や案内スロープ１０１の角度１０ｃ、各支点の位置関係によって強弱が異なるが、案内コロ２１５を案内スロープ１０１に沿って案内させるための負荷が大きくなるばかりでなく、適正な搬送圧がかけられなくなる。また、搬送圧がかからないような不完全な開閉ガイドパス２１の閉まり方をした場合、開閉ガイドパス２１や案内スロープ１０１を破損させる場合もある。
【００２１】
案内スロープ１０１の案内長さ１０ｄを多くとるために画像形成装置本体１に水平方向に大きなスペースを確保する必要があるため、画像形成装置幅の制約により進入角１０ｃを小さくすることができない場合があった。案内スロープ１０１の案内長さ１０ｄを十分に取れない場合、このスロープＡとスロープＢを併用することで、スロープＡのみで案内スロープスロープを設ける場合に比べて、少ない案内スロープ１０１のスロープ長さ１０ｄで案内コロ２１５を案内させて、下ガイド２１２を開閉させることができる。スロープＡとスロープＢを併用する実施の形態を図８，９に示す。
【００２２】
スロープＡとＢの関係は、案内コロ２１５が案内スロープ１０１に沿って案内されているとき、搬送ローラ２１３と搬送コロ２１４が接すると同時またはその直前にスロープＢからスロープＡに切り替わるように組み合わされる。スロープＡにより、実施の形態１と同様に、搬送ローラ２１３と搬送コロ２１４は少ない負荷で安定した搬送圧で接し、スロープＢにより実施の形態１の場合よりも少ない案内長さ１０ｄで下ガイド２１２を閉めることができる。
【００２３】
また、スロープＡとスロープＢは案内コロ２１５の接点１０ａの法線１０ｂの条件が満たせば、スロープＡとスロープＢの切り替えポイントを連続した曲線で構成しても同様の効果が得られる。
【００２４】
また、法線１０ｂの条件を満たす範囲でスロープＢの代わりに滑らかな曲線や複数の直線で構成されたとしてもよい。
【００２５】
なお、案内スロープがスロープＡのみで構成される場合（図１に示す場合）には、デッキの設置位置が水平方向に多少ずれても、スロープＡの進入角が小さいために、ガイドは大きく開くことは無く、搬送圧の変化も小さい。
【００２６】
【発明の効果】
回動中心、搬送ローラおよび搬送コロ、案内コロの上下方向の位置関係が、搬送ローラの軸中心よりも案内コロが下方にあることを特徴とする開閉ガイドパスにおいて、案内コロと案内スロープ接点における法線を、回動中心と搬送ローラ軸中心に対して設定することにより、開閉ガイドパスの確実な開閉動作により、搬送圧の安定をさせる。
【図面の簡単な説明】
【図１】第１の実施の形態での開閉ガイドパスの断面説明図。
【図２】第１の実施の形態での開閉ガイドパスの断面説明図。
【図３】本発明の装置全体を示す図。
【図４】第２の実施の形態での開閉ガイドパスの断面説明図。
【図５】第２の実施の形態での開閉ガイドパスの断面説明図。
【図６】第２の実施の形態での開閉ガイドパスの断面説明図。
【図７】第３の実施の形態での開閉ガイドパスの断面説明図。
【図８】第３の実施の形態での開閉ガイドパスの断面説明図。
【図９】第３の実施の形態での開閉ガイドパスの断面説明図。
【符号の説明】
１  画像形成装置
１０１  案内スロープ
１０ａ  案内コロと案内スロープ接点，
１０ｂ  案内コロと案内スロープ接点における法線
１０ｃ  案内スロープ進入角
１０ｄ  案内長さ
２  サイドペーパーデッキ
２１  開閉ガイドパス
２１１  上ガイド
２１２  下ガイド
２１３  搬送ローラ
２１４  搬送コロ
２１５  案内コロ
２１ａ  下ガイド回動中心
【図１】
2005067743.tif 000003
【図２】
2005067743.tif 000004
【図３】
2005067743.tif 000005
【図４】
2005067743.tif 000006
【図５】
2005067743.tif 000007
【図６】
2005067743.tif 000008
【図７】
2005067743.tif 000009
【図８】
2005067743.tif 000010
【図９】
2005067743.tif 000011